(57)【要約】【課題】小便器、大便器、浴槽及び浴室自体の構成を変えることなく、紫外線照射手段を小便器、大便器、浴槽及び浴室に設置することができるスプレッダーと、このスプレッダーを備えた小便器、大便器、浴槽及び浴室を提供する。【解決手段】スプレッダー１０は、下方に向って開放した射水口１２ａを有し、鉢面３の前面側に配置されたスプレッダー本体１２と、該本体１２に連なり、後方に向って延出した管部１４と、該管部１４の後端に固着されたアタッチメント１６とを有する。アタッチメント１６の管部１４の管軸方向の延長線上にＵＶ透過窓１６ｂが設けられており、このＵＶ透過窓１６ｂの外側に紫外線光源としてＵＶＬＥＤ２０が設置されている。ＵＶＬＥＤ２０が点灯すると、紫外線がＵＶ透過窓１６ｂを透過してスプレッダー１０の内部に入射し、反射板２２で反射され、射水口１２ａから鉢面３に向けて出射する。これにより、鉢面３が紫外線で殺菌される。鉢面３に光触媒を設けてもよい。【選択図】図２
2006316544.tif 000002
【特許請求の範囲】
【請求項１】
射水口から水を射出するスプレッダーにおいて、
該射水口から射出された水が流れる面に向って紫外線を照射する紫外線照射手段を備えたことを特徴とするスプレッダー。
【請求項２】
請求項１において、該紫外線照射手段は、
該スプレッダーに設けられ、スプレッダー外部からスプレッダー内部へ紫外線を入射させる紫外線透過部と、
該紫外線透過部に対面するように配置された紫外線発光体とを備えていることを特徴とするスプレッダー。
【請求項３】
請求項２において、該紫外線照射手段は、該スプレッダー内部に設けられ、該紫外線透過部を透過して該スプレッダー内に入射された紫外線を反射させ、前記射水口からスプレッダー外に出射させる反射体を備えていることを特徴とするスプレッダー。
【請求項４】
請求項２又は３において、該スプレッダー内に、該紫外線透過部を透過してきた紫外線が照射されるように光触媒が保持されていることを特徴とするスプレッダー。
【請求項５】
スプレッダーを備えてなる小便器において、該スプレッダーが請求項１ないし４のいずれか１項に記載のスプレッダーであることを特徴とする小便器。
【請求項６】
スプレッダーを備えてなる大便器において、該スプレッダーが請求項１ないし４のいずれか１項に記載のスプレッダーであることを特徴とする大便器。
【請求項７】
スプレッダーを備えた浴槽において、該スプレッダーが請求項１ないし４のいずれか１項に記載のスプレッダーであることを特徴とする浴槽。
【請求項８】
スプレッダーを備えた浴室において、該スプレッダーが請求項１ないし４のいずれか１項に記載のスプレッダーであることを特徴とする浴室。
【発明の詳細な説明】
【技術分野】
【０００１】
本発明は、小便器や大便器、浴槽、浴室に水を供給するのに好適なスプレッダーと、このスプレッダーを備えた小便器、大便器、浴槽及び浴室に係り、特に、スプレッダーから射出された水が流れる面に紫外線を照射する手段を備えたスプレッダー並びに小便器、大便器、浴槽及び浴室に関するものである。
【背景技術】
【０００２】
小便器の鉢面を紫外線で殺菌するために、小便器の鉢部の上面に紫外線ランプを設けることが特開昭６２−１０２７２９号に記載されている。
【０００３】
特開平１１−７１８０３号の図７には、小便器の鉢面に光触媒を保持させると共に、鉢上部に紫外線照射灯を設けることが記載されている。
【特許文献１】特開昭６２−１０２７２９号
【特許文献２】特開平１１−７１８０３号
【発明の開示】
【発明が解決しようとする課題】
【０００４】
上記特開昭６２−１０２７２９号及び特開平１１−７１８０３号では、小便器に紫外線ランプ設置スペースを設けたり、鉢内部に紫外線照射灯を設置するようにしており、小便器自体を紫外線ランプ等が設置可能な構造とする必要がある。
【０００５】
本発明は、小便器、大便器、浴槽及び浴室自体の構成を変えることなく、紫外線照射手段を小便器、大便器、浴槽及び浴室に設置することができるスプレッダーと、このスプレッダーを備えた小便器、大便器、浴槽及び浴室を提供することを目的とするものである。
【課題を解決するための手段】
【０００６】
請求項１のスプレッダーは、射水口から水を射出するスプレッダーにおいて、該射水口から射出された水が流れる面に向って紫外線を照射する紫外線照射手段を備えたことを特徴とするものである。
【０００７】
請求項２のスプレッダーは、請求項１において、該紫外線照射手段は、該スプレッダーに設けられ、スプレッダー外部からスプレッダー内部へ紫外線を入射させる紫外線透過部と、該紫外線透過部に対面するように配置された紫外線発光体とを備えていることを特徴とするものである。
【０００８】
請求項３のスプレッダーは、請求項２において、該紫外線照射手段は、該スプレッダー内部に設けられ、該紫外線透過部を透過して該スプレッダー内に入射された紫外線を反射させ、前記射水口からスプレッダー外に出射させる反射体を備えていることを特徴とするものである。
【０００９】
請求項４のスプレッダーは、請求項２又は３において、該スプレッダー内に、該紫外線透過部を透過してきた紫外線が照射されるように光触媒が保持されていることを特徴とするものである。
【００１０】
請求項５の小便器は、スプレッダーを備えてなる小便器において、該スプレッダーが請求項１ないし４のいずれか１項に記載のスプレッダーであることを特徴とするものである。
【００１１】
請求項６の大便器は、スプレッダーを備えてなる大便器において、該スプレッダーが請求項１ないし４のいずれか１項に記載のスプレッダーであることを特徴とするものである。
【００１２】
請求項７の浴槽は、スプレッダーを備えた浴槽において、該スプレッダーが請求項１ないし４のいずれか１項に記載のスプレッダーであることを特徴とするものである。
【００１３】
請求項８の浴室は、スプレッダーを備えた浴室において、該スプレッダーが請求項１ないし４のいずれか１項に記載のスプレッダーであることを特徴とするものである。
【発明の効果】
【００１４】
本発明のスプレッダー並びに小便器、大便器、浴槽及び浴室にあっては、スプレッダーが紫外線照射手段を備えており、このスプレッダーから小便器や大便器の鉢面、浴槽、あるいは浴室内に紫外線を照射することが可能となる。この紫外線照射により、該鉢面、浴槽あるいは浴室内が殺菌される。また、該鉢面、浴槽あるいは浴室内面に光触媒を設けておくと、光触媒作用によって有機物やアンモニア等を分解することが可能となる。本発明では、小便器、大便器、浴槽及び浴室それ自体の構造を変更することなく、紫外線照射手段を設置することができる。
【００１５】
請求項２のスプレッダーによると、スプレッダー外部からスプレッダー内部に紫外線を入射させるため、長期間経過しても、水中の物質の付着に起因したヌメリなどの汚れが紫外線発光体に付かない。
【００１６】
請求項３のスプレッダーにあっては、紫外線発光体の配置の自由度が高い。
【００１７】
請求項４によると、スプレッダー内部で光触媒作用を生じさせて水を活性化させることができる。活性化された水を流すことにより、鉢面や浴槽あるいは浴室内、さらには排水設備のトラップ、排水管等を十分に洗浄したり抗菌化したりすることができる。
【発明を実施するための最良の形態】
【００１８】
以下、図面を参照して実施の形態について説明する。図１は実施の形態に係る小便器の正面図、図２は図１のII−II線断面図である。
【００１９】
小便器１は鉢部２を有し、その鉢面３の上部にスプレッダー１０が設置されている。この小便器１は陶器製である。小便器１の上部にトップカバー４が設けられ、該トップカバー４の前面にセンサ取付口５が設けられている。図示は省略するがこのセンサ取付口５に臨むようにして人体検知センサが設けられ、この人体検知センサの検知信号に基づいて、トップカバー４内の給水制御弁が開閉し、前記スプレッダー１０に水が供給される。
【００２０】
このスプレッダー１０は、下方に向って開放した射水口１２ａを有し、鉢面３の前面側に配置されたスプレッダー本体１２と、該本体１２に連なり、後方に向って延出した管部１４と、該管部１４の後端に固着されたアタッチメント１６とを有する。
【００２１】
このアタッチメント１６は、管部１４の管軸方向と交叉方向に延出した分岐部１６ａを有しており、この分岐部１６ａがホース１８を介して前記トップカバー４内の給水制御弁に接続されている。
【００２２】
アタッチメント１６の管部１４の管軸方向の延長線上にＵＶ透過窓１６ｂが設けられており、このＵＶ透過窓１６ｂの外側に紫外線光源としてＵＶＬＥＤ２０が設置されている。このＵＶＬＥＤ２０はＵＶ透過窓１６ｂに対峙しており、紫外線が該ＵＶ透過窓１６ｂを透過してスプレッダー１０内に入射可能とされている。本体１２内には、この入射してきた紫外線を射水口１２ａに向けて反射させる反射板２２が設けられている。
【００２３】
なお、鉢面３の上部にスプレッダー取付孔３ａが穿設されており、管部１４が該取付孔３ａに挿通されている。パッキン２４，２６及びワッシャを介してナット２８を管部１４に締め込むことにより、スプレッダー１０が鉢面３に固定される。
【００２４】
このように構成されたスプレッダー１０付きの小便器１にあっては、ＵＶＬＥＤ２０が点灯すると、紫外線がＵＶ透過窓１６ｂを透過してスプレッダー１０の内部に入射し、反射板２２で反射され、射水口１２ａから鉢面３に向けて出射する。これにより、鉢面３が紫外線で殺菌される。なお、鉢面３に酸化チタン等の光触媒のコーティング層を設けておくと、紫外線が照射されることにより光触媒が励起し、強力な光触媒作用が発揮され、鉢面３の殺菌が行われる他、鉢面３に付着したアンモニアや有機物が光触媒作用によって分解される。
【００２５】
この実施の形態では、ＵＶＬＥＤ２０をスプレッダー１０外に配置しており、ＵＶＬＥＤ２０が水と接触しない。そのため、ＵＶＬＥＤ２０にヌメリなどが付着することがなく、長期にわたって紫外線をスプレッダー１０内へ入射させることができる。また、電気機器であるＵＶＬＥＤが水と接しないため、漏電も防止される。
【００２６】
なお、ＵＶ透過窓１６ｂの内面や反射板２２等の水と接する面に光触媒のコーティング層を設けておくと、ＵＶ透過窓１６ｂや反射板２２等にヌメリ等の汚れが付くことが長期にわたって確実に防止される。
【００２７】
上記ＵＶＬＥＤ２０は、センサによって小便器近傍に人体が居ないことが確認されているときだけ点灯するようにしてもよい。もちろん、人体の有無に関わりなく常時ＵＶＬＥＤ２０を点灯させてもよい。
【００２８】
上記実施の形態では、管部１４は中空管状であるが、本発明では、この管部１４内に透光性材料よりなる光触媒担持体（図示略）を設け、この光触媒担持体に光触媒を担持させてもよい。ＵＶＬＥＤ２０から光触媒担持体に紫外線を照射させた状態でスプレッダー１０に水を供給すると、この水が光触媒によって活性化され、鉢面３に供給される。この活性化された水は、殺菌作用が高く、鉢面３や小便器トラップ、排水管内面を抗菌化する。この光触媒担持体としては、石英等の紫外線透過性粒子や、透明な樹脂のネットなどが例示される。
【００２９】
本発明では、スプレッダーの少なくとも一部を透明樹脂等の紫外線透過材にて構成して紫外線導光部とし、この紫外線導光部に紫外線を入射させ、紫外線導光部に設けた粗面等よりなる出射部から紫外線を鉢面３に向って出射させるようにしてもよい。
【００３０】
図３は別の実施の形態に係る小便器の縦断面図である。
【００３１】
この実施の形態のスプレッダー１０Ａにあっては、スプレッダー本体１２の上部に、紫外線を下向きに即ち射水口１２ａに向けて入射しうるようにＵＶ透過窓３０が設けられ、このＵＶ透過窓３０の外側にＵＶＬＥＤ３２が設置されている。このＵＶＬＥＤ３２からの紫外線は、ＵＶ透過窓３０を透過してまっすぐに射水口１２ａに向かうようにスプレッダー本体１２内に入射した後、該射水口１２ａを通ってスプレッダー本体１２の外部に出射する。
【００３２】
この実施の形態では、該ＵＶ透過窓３０の外側に防水カバー３４が取り付けられている。ＵＶＬＥＤ３２は、このカバー３４内に配置されている。なお、符号３２ａはＵＶＬＥＤ３２への通電用のリード線を示している。このリード線３２ａは、カバー３４に設けられた引出口（符号略）から該カバー３４の外側に引き出された後、鉢面３に設けられた引込口（符号略）から便器１の裏側へ引き込まれて電源回路（図示略）に接続されている。符号３４ａ，３ｂは、該引出口及び引込口にそれぞれ装着されたパッキンを示している。
【００３３】
このスプレッダー１０Ａのその他の構成は図１，２のスプレッダー１０と同様となっており、図３において図１，２と同一符号は同一部分を示している。
【００３４】
このように構成されたスプレッダー１０Ａ付きの小便器１にあっても、ＵＶＬＥＤ３２が点灯すると、紫外線がＵＶ透過窓３０を透過してスプレッダー１０Ａの内部に入射し、射水口１２ａから鉢面３に向けて出射する。これにより、鉢面３が紫外線で殺菌される。
【００３５】
また、この実施の形態でも、ＵＶＬＥＤ３２をスプレッダー１０Ａの外部に配置しており、ＵＶＬＥＤ３２が水と接触しない。そのため、ＵＶＬＥＤ３２にヌメリなどが付着することがなく、長期にわたって紫外線をスプレッダー１０Ａ内へ入射させることができる。
【００３６】
このＵＶＬＥＤ３２も、センサによって小便器近傍に人体が居ないことが確認されているときだけ点灯するようにしてもよく、人体の有無に関わりなく常時点灯させてもよい。
【００３７】
なお、この実施の形態でも、ＵＶ透過窓３０の内面等の水と接する面に光触媒のコーティング層を設けてもよい。また、スプレッダー１０Ａ内を通過する水を活性化するために、本体１２内に透光性材料よりなる光触媒担持体（図示略）を設け、この光触媒担持体に光触媒を担持させてもよい。
【００３８】
図４は実施の形態に係る大便器の斜視図、図５（ａ）はこの大便器のスプレッダーの正面図、図５（ｂ），（ｃ）はそれぞれ図５（ａ）のＢ−Ｂ線及びＣ−Ｃ線に沿う断面図である。
【００３９】
大便器４０は、この実施の形態では洋風便器であり、前部に鉢部４１を備え、該鉢部４１の後部の上縁付近にスプレッダー５０が設置されている。なお、この実施の形態では鉢部４１の後部の左右に位置を異ならせて２個のスプレッダー５０が設けられている。該鉢部４１の底部には排水トラップ４２が連通している。
【００４０】
大便器４０の後部上面には便座ボックス４３が設置されており、この便座ボックス４３に対し便座４４が起倒回動可能に取り付けられている。この便座ボックス４３には、各スプレッダー５０を介して鉢部４１に洗浄水を供給するフラッシュ装置（図示略）や、用便者のお尻を温水で洗浄するための温水洗浄装置（洗浄ノズル４５のみ図示）等の各種機器が内蔵されている。該温水洗浄装置の洗浄ノズル４５は、この実施の形態では、左右のスプレッダー５０，５０同士の間から鉢部４１内に伸び出して用便者のお尻を洗浄するようになっている。
【００４１】
図５に示すように、各スプレッダー５０（図５では左側スプレッダー５０のみ図示）は、この実施の形態では、鉢部４１の後部上縁から該鉢部４１内へ延出し、途中から下方へ向って折れ曲がったＬ字形の本体５１を有している。符号５２は、該本体５１の基端側に設けられた鉢部洗浄水の給水口を示している。この給水口５２は、ホース（図示略）等を介して前記フラッシュ装置に接続されている。
【００４２】
この実施の形態では、該スプレッダー本体５１の先端側（下方へ折れ曲がった部分）の下端面に、下方へ向って開口した第１射水口５３が設けられると共に、該先端側の前向き面に、斜め前方に向って開口した第２射水口５４が設けられている。詳しくは、左側スプレッダー５０にあっては、この第２射水口５４は、該前向き面の左端側に配置され、左斜め前方即ち鉢面４１ａの左側の側部上縁付近に向って開口している。また、右側スプレッダー５０にあっては、この第２射水口５４は、該前向き面の右端側に配置され、右斜め前方即ち鉢面４１ａの右側の側部上縁付近に向って開口している。
【００４３】
この第１射水口５３と第２射水口５４とは、それぞれ給水路５５を介して前記給水口５２に連通している。
【００４４】
前記フラッシュ装置から各スプレッダー５０（給水口５２）に鉢部洗浄水が供給されると、左側スプレッダー５０においては、第１射水口５３から鉢面４１ａの後部左半側に向って洗浄水が射出されると共に、第２射水口５４から鉢面４１ａの左側部上縁付近に向って洗浄水が射出される。また、右側スプレッダー５０においては、第１射水口５３から鉢面４１ａの後部右半側に向って洗浄水が射出されると共に、第２射水口５４から鉢面４１ａの右側部上縁付近に向って洗浄水が射出される。
【００４５】
この実施の形態では、各スプレッダー本体５１の上部に、給水路５５内に紫外線を下向きに即ち第１射水口５３に向けて入射しうるように第１ＵＶ透過窓５６が設けられている。また、給水路５５の第２射水口５４と対面する内面には、該給水路５５内に紫外線を前向きに即ち該第２射水口５４に向けて入射しうるように第２ＵＶ透過窓５７が設けられている。該第１ＵＶ透過窓５６の外側には第１ＵＶＬＥＤ５８が設置され、第２ＵＶ透過窓５７の外側には第２ＵＶＬＥＤ５９が設置されている。
【００４６】
該第１ＵＶＬＥＤ５８は、第１ＵＶ透過窓５６に対峙しており、該第１ＵＶＬＥＤ５８が紫外線を発光すると、この紫外線はＵＶ透過窓５６を透過して下向きに給水路５５内に入射し、第１射水口５３を通って鉢面４１ａの後部（ないし底部）に向って出射するようになっている。また、第２ＵＶＬＥＤ５９は、第２ＵＶ透過窓５７に対峙しており、該第２ＵＶＬＥＤ５９が紫外線を発光すると、この紫外線はＵＶ透過窓５７を透過して前向きに給水路５５内に入射し、第２射水口５４を通って鉢面４１ａの左右の側部上縁付近に向って出射するようになっている。
【００４７】
このように構成されたスプレッダー５０，５０付きの大便器４０にあっては、各スプレッダー５０の第１及び第２ＵＶＬＥＤ５８，５９が点灯すると、各射水口５３，５４を介して鉢面４１ａの後部領域から左右の側部領域の広い範囲に紫外線が出射され、紫外線殺菌が行われる。なお、鉢面４１ａに酸化チタン等の光触媒のコーティング層を設けておくと、紫外線が照射されることにより光触媒が励起し、強力な光触媒作用が発揮され、鉢面４１ａの殺菌が行われる他、鉢面４１ａに付着したアンモニアや有機物が光触媒作用によって分解される。
【００４８】
この実施の形態でも、ＵＶＬＥＤ５８，５９は、センサによって大便器近傍に人体が居ないことが確認されているときだけ点灯するようにしてもよく、人体の有無に関わりなく常時点灯させてもよい。
【００４９】
また、この実施の形態でも、洗浄水を活性化するために、各スプレッダー５０の給水路５５内に透光性材料よりなる光触媒担持体（図示略）を設け、この光触媒担持体に光触媒を担持させてもよい。
【００５０】
図６は実施の形態に係る浴槽の平面図、図７は図６のVII−VII線に沿う断面図、図８は図７のスプレッダー部分の拡大図である。
【００５１】
この浴槽７０は槽部７１とフランジ部７２とを有しており、このフランジ部７２の上面に段付き水路７３が凹設されている。この実施例では、フランジ部７２は略長方形の平面視形状となっており、該フランジ部７２のほぼ対角線方向に槽部７１が延在されており、図６の左下及び右上部分に大きなフランジ部７２が形成されている。この右上の大きなフランジ部７２に段付き水路７３が形成されている。
【００５２】
この実施の形態では、該段付き水路７３は、下流側ほど幅が広がる三角州又は扇状地の如き形状となっていると共に、弧状に湾曲する３個の段部７４，７５，７６を有している。この段部７４，７５，７６の上流側はそれぞれ上方に向って緩く凹陥し、若干量の水が貯まるようになっている。また、この段付き水路７３はフランジ部７２の上面から凹陥しており、風呂蓋をフランジ部７２にぴったりと被せることが可能となっている。
【００５３】
この段付き水路７３の上流部（段７６よりも上流側）に、スプレッダー７７が設けられている。このスプレッダー７７は、上部がフランジ部７２の上方に突出するように該フランジ部７２を貫通して設けられている。
【００５４】
符号７８は、槽部７１の内側に形成されたアームレストを示し、符号７９は、該槽部７１の底面に設けられた排水口を示している。
【００５５】
この実施例では、スプレッダー７７に水を供給するために、槽部７１の側壁に吸水口８０と噴射口８１とを設け、該吸水口８０からポンプユニット８２に吸い込んだ水の一部をスプレッダー７７に導くようにしている。水の残部は噴射口８１から噴射される。８３ａ，８３ｂはこのポンプユニット８２と吸水口８０及び噴射口８１とを接続している配管、８４ａは流路切替弁、８４ｂはスプレッダー７７と該弁８４ａとを接続している配管である。８２ａはポンプ、８２ｂはコントローラである。
【００５６】
また、この実施例では、噴射口８１は気泡噴射ノズルにて構成されており、エアー配管８５からの空気を槽部７１内に噴射しうるよう構成されている。８６はエアー用電磁弁である。また、８７はこのポンプユニット８２のスイッチである。
【００５７】
なお、この実施例では、該噴射口８１の先端のフロントノズル（図示略）が可動となっており、噴射方向が変更可能となっている。また、本実施例では、吸水口８０にメッシュ等のフィルタ（図示略）が設けられ、ゴミや毛髪などがポンプユニット８２へ流れ込まないよう構成されている。
【００５８】
図８の通り、スプレッダー７７は、筒状本体９０の上端にフランジ９１が設けられており、本体９０の外周の雄ねじ（符号略）に螺合されたナット９２と該フランジ９１とでフランジ部７２を狭持している。９３は三角パッキン、９４は平パッキンである。また９５は配管８４ｂを本体９０に連結している袋ナットである。
【００５９】
この実施の形態では、該フランジ９１の側周面に、水路７３に向って開口する射水口９６が設けられている。スプレッダー本体９０の内孔９７は、この実施の形態では該本体９０の上端面に開口しておらず、該上端付近において射水口９６に連通している。配管８４ｂを介してスプレッダー７７に水が供給されると、この水は内孔９７を通って射水口９６から水路７３に吐出される。
【００６０】
該内孔９７の上端付近の射水口９６と反対側の内面にＵＶ透過窓９８が設けられており、このＵＶ透過窓９８の外側にＵＶＬＥＤ９９が設置されている。このＵＶＬＥＤ９９はＵＶ透過窓９８に対峙しており、該ＵＶＬＥＤ９９が紫外線を発光すると、この紫外線はＵＶ透過窓９８を透過して射水口９６に向うように内孔９７内に入射した後、該射水口９６を通って出射するようになっている。
【００６１】
このように構成されたスプレッダー７７付き浴槽７０にあっては、スプレッダー７７のＵＶＬＥＤ９９が点灯すると、射水口９６を介して水路７３の表面に紫外線が出射され、紫外線殺菌が行われる。なお、該水路７３の表面に酸化チタン等の光触媒のコーティング層を設けておくと、紫外線が照射されることにより光触媒が励起し、強力な光触媒作用が発揮され、該表面の殺菌が行われる他、該表面に付着したアンモニアや有機物が光触媒作用によって分解される。
【００６２】
この実施の形態でも、ＵＶＬＥＤ９９は、センサによって浴槽内又はその近傍に人体が居ないことが確認されているときだけ点灯するようにしてもよく、人体の有無に関わりなく常時点灯させてもよい。
【００６３】
また、この実施の形態でも、スプレッダー７７からの水を活性化するために、スプレッダー７７の内孔９７内に透光性材料よりなる光触媒担持体（図示略）を設け、この光触媒担持体に光触媒を担持させてもよい。
【００６４】
図９は実施の形態に係る浴室の垂直断面図である。
【００６５】
この実施の形態の浴室１１０は、天井１１１と、四方を取り囲む壁１１２と、床１１３とを有するユニットバスルームであり、図の一方の壁１１２に沿って浴槽１１４が設置されている。この実施の形態では、該天井１１１、壁１１２並びに床１１３の室内側面にそれぞれ親水性部材（図示略）が配置されており、この親水性部材の表面に光触媒のコーティング層が形成されている。
【００６６】
天井１１１の中央には、浴室１１０内に水を噴射してこれらの天井１１１、壁１１２並びに床１１３の汚れを洗い流すためのスプレッダー１１５Ａが設置されている。この実施の形態では、該スプレッダー１１５Ａの側周面に複数個の射水口（符号略）が設けられており、これらの射水口から放射状に水が噴射される。
【００６７】
また、この実施の形態では、床１１３（洗い場）にもスプレッダー１１５Ｂが設置されている。このスプレッダー１１５Ｂも、側周面に複数個の射水口（符号略）が設けられており、これらの射水口から放射状に水が噴射されるようになっている。
【００６８】
これらのスプレッダー１１５Ａ，１１５Ｂの内部に、それぞれ、ＵＶＬＥＤ（図示略）が設置されており、該ＵＶＬＥＤが紫外線を発光すると、この紫外線は各射水口を通って放射状に浴室１１０内に出射されるように構成されている。
【００６９】
この実施の形態では、該スプレッダー１１５Ａ，１１５Ｂ以外にも紫外線発光体が設けられている。
【００７０】
天井１１１と図の他方の壁１１２の上部とのコーナー部付近には照明灯１１６が設けられている。この照明灯１１６は、天井１１１から該壁１１２の上部にかけて延設されたレール１１７に沿って移動可能となっている。この実施の形態では、該照明灯１１６は、可視光ランプ１１８と紫外線ランプ１１９とを備えてなるものである。
【００７１】
図の前記一方の壁１１２の上部には、壁面照明灯１２０が設置されている。この壁面照明灯１２０も、可視光ランプ（図示略）と紫外線ランプ（図示略）とを備えてなる。
【００７２】
また、該一方の壁１１２には、スプレッダー１１５や照明灯１１６，１２０からの紫外線を反射して浴槽１１４の内側等に紫外線を当てるためのリフレクタ１２１が取り付けられている。なお、該浴槽１１４の表面にも、光触媒層を設けてもよい。符号１２２は、該浴槽１１４付近に配置された手すりを示している。
【００７３】
該浴槽１１４の内側及びこの浴室１１０の洗い場壁面等には、赤外線センサ等よりなる人体検知センサ１２３が設けられており、スプレッダー１１５Ａ，１１５Ｂ及び照明灯１１６，１２０の各紫外線発光体は、これらのセンサ１２３が人体を検知していない場合、即ち、浴室１１０内に人がいない場合に点灯されるよう構成されている。
【００７４】
この実施の形態では、さらに、ハンディタイプの紫外線ランプ１２４も設けられている。この紫外線ランプ１２４を用いることにより、据付け型の各紫外線発光体からの紫外線が当たりにくい場所（例えば洗面鉢や浴室用椅子等の裏側）にも紫外線を照射することができるようになっている。
【００７５】
このように構成された浴室１１０にあっては、各スプレッダー１１５Ａ，１１５Ｂから浴室１１０内に水が噴射されて該浴室１１０内が洗浄されると共に、該スプレッダー１１５Ａ，１１５Ｂ、照明灯１１６，１２０並びに紫外線ランプ１２４から浴室１１０内全体に紫外線が出射され、紫外線殺菌が行われる。なお、この実施の形態では、天井１１１や壁１１２、床１１３等の表面に光触媒のコーティング層が設けられているので、紫外線が照射されることにより光触媒が励起し、強力な光触媒作用が発揮され、該表面の殺菌が行われる他、該表面に付着したアンモニアや有機物が光触媒作用によって分解される。
【００７６】
この実施の形態でも、洗浄水による殺菌・抗菌作用を高めるために、各スプレッダー１１５Ａ，１１５Ｂ内に透光性材料よりなる光触媒担持体（図示略）を設け、この光触媒担持体に光触媒を担持させてもよい。
【００７７】
上記の各実施の形態はいずれも本発明の一例を示すものであり、本発明は図示の構成に限定されるものではない。
【００７８】
紫外線発光体からの紫外線は直接的に目標面に向って照射されてもよく、リフレクタ等による反射や拡散等を利用して目標面に照射されてもよい。
【図面の簡単な説明】
【００７９】
【図１】実施の形態に係る小便器の正面図である。
【図２】図１のII−II線断面図である。
【図３】別の実施の形態に係る小便器の断面図である。
【図４】実施の形態に係る大便器の正面図である。
【図５】図４のスプレッダーの構成を示す図である。
【図６】実施の形態に係る浴槽の平面図である。
【図７】図６のVII−VII線に沿う断面図である。
【図８】図６のスプレッダー部分の拡大図である。
【図９】実施の形態に係る浴室の断面図である。
【符号の説明】
【００８０】
１  小便器
３  鉢面
１０，１０Ａ  スプレッダー
１２  スプレッダー本体
１２ａ  射水口
１４  管部
１６  アタッチメント
１６ｂ  紫外線透過窓
２０  ＵＶＬＥＤ
２２  反射板
３０  ＵＶ透過窓
３２  ＵＶＬＥＤ
３４  カバー
４０  大便器
４１ａ  鉢面
５０  スプレッダー
５１  スプレッダー本体
５３，５４  射水口
５６，５７  ＵＶ透過窓
５８，５９  ＵＶＬＥＤ
７０  浴槽
７３  水路
７７  スプレッダー
９０  スプレッダー本体
９６  射水口
９８  ＵＶ透過窓
９９  ＵＶＬＥＤ
１１０  浴室
１１１  天井
１１２  壁
１１３  床
１１５Ａ，１１５Ｂ  スプレッダー
【図１】
2006316544.tif 000003
【図２】
2006316544.tif 000004
【図３】
2006316544.tif 000005
【図４】
2006316544.tif 000006
【図５】
2006316544.tif 000007
【図６】
2006316544.tif 000008
【図７】
2006316544.tif 000009
【図８】
2006316544.tif 000010
【図９】
2006316544.tif 000011